(57)【特許請求の範囲】
【請求項１】
両軸受型リールが装着可能なリール脚載置部と、前記リール脚載置部に載置されたリール脚を固定する一対の固定フード及び移動フードと、を備えた筒状の本体を元竿に嵌入したリール脚固定装置を有する釣竿において、
前記固定フードの後方に、前記本体とは別体で、載置した親指の滑りを防止する滑り防止手段を備えた環状部材で構成される親指載置部材を設け、
前記親指載置部材は、前記本体に外嵌されて、本体の外周面に対して段差部を生じさせると共に、前記段差部によって、前記固定フードの後方側の親指載置領域に、前方側に向けて部分的に突出する突出部を形成していることを特徴とする釣竿。
【請求項２】
前記親指載置部材の両側面に凹所を形成したことを特徴とする請求項１に記載の釣竿。
【請求項３】
前記親指載置部材の親指が載置される部分の径方向反対側に突部を形成したことを特徴とする請求項１又は２に記載の釣竿。
【請求項４】
前記滑り防止手段は、前記親指載置部材を、前記本体の表面よりも摩擦力の大きい素材とすることで構成されることを特徴とする請求項１から３のいずれか１項に記載の釣竿。
【請求項５】
前記滑り防止手段は、前記親指載置部材の親指載置領域を、前記固定フードに向けて上昇する傾斜形状とすることで構成されることを特徴とする請求項１から４のいずれか１項に記載の釣竿。
【発明の詳細な説明】
【技術分野】
【０００１】
本発明は釣竿に関し、詳細には、両軸受型リールを装着した際の釣竿操作が行い易いリール脚固定装置を備えた釣竿に関する。
【背景技術】
【０００２】
従来、両軸受型リールを装着した際の握持、保持性を向上した釣竿が知られている。例えば、特許文献１には、リール脚を固定するリール脚固定装置に関し、リール脚が固定される固定フードの後方側で、かつその径方向反対側の周面に、なだらかな起状の凸部を設けることが開示されている。
【０００３】
このように、リール脚固定装置になだらかな起状の凸部を設けておくことで、釣竿と共にリール本体をパーミングした際、中指と薬指の間に前記なだらかな起状の凸部が位置することから、中指と薬指が傾斜面に当たって滑り止めされ、握持、保持性の向上が図れるようになる。
【特許文献１】実公平７−１９２６０号
【発明の開示】
【発明が解決しようとする課題】
【０００４】
上記した従来の釣竿では、なだらかな起状の凸部により、釣竿と共にリール本体をパーミング操作する際の握持、保持性の向上は図れるものの、実釣時では、リール脚固定装置におけるフード部分の後方側については様々な握り態様がなされる。
【０００５】
例えば、クラッチ機構のＯＦＦ操作をする場合、親指でクラッチプレートを押圧操作した後、そのまま腹部を固定フード部分の後方側に載置することがある。また、例えば、手の大きさが小さい釣人では、リール本体をパーミングするのではなく、リール脚固定装置における固定フード部分の後方側を握持することもある。したがって、実釣時におけるリール脚固定装置領域の使用態様を考慮すると、その握持、保持性を向上するに際しては、更に改良する余地がある。
【０００６】
本発明は、上記した問題に着目して成されたものであり、実釣時において、握持、保持性の向上が図れるリール脚固定装置を装着した釣竿を提供することを目的とする。
【課題を解決するための手段】
【０００７】
上記した目的を達成するために、本発明に係る釣竿は、両軸受型リールが装着可能なリール脚載置部と、前記リール脚載置部に載置されたリール脚を固定する一対の固定フード及び移動フードと、を備えた筒状の本体を元竿に嵌入したリール脚固定装置を有しており、前記固定フードの後方に、前記本体とは別体で、載置した親指の滑りを防止する滑り防止手段を備えた環状部材で構成される親指載置部材を設け、前記親指載置部材は、前記本体に外嵌されて、本体の外周面に対して段差部を生じさせると共に、前記段差部によって、前記固定フードの後方側の親指載置領域に、前方側に向けて部分的に突出する突出部を形成していることを特徴とする。
【０００８】
上記した構成においては、魚釣用リールのリール本体をパーミングしない状態で釣竿を握持、保持した際、滑り防止手段によって親指載置部材上の親指の位置が安定することから、握持、保持性が向上すると共に、釣竿が軸回りに回転することが抑制されて、糸絡みを防止することが可能となる。
【発明の効果】
【００１１】
本発明によれば、実釣時において、握持、保持性の向上が図れるリール脚固定装置を装着した釣竿が得られる。
【発明を実施するための最良の形態】
【００１２】
以下、本発明に係る釣竿の一実施形態について、図１から図６を参照して具体的に説明する。これらの図において、図１は、釣竿の全体構成を示す図、図２は、リール脚固定装置の固定フード部分を示す側面図、図３は、図２のＡ−Ａ線に沿った断面図、図４は、リール脚固定装置の固定フード部分を示す平面図、図５は、使用状態を説明する平面図、そして、図６は、使用状態を説明する側面図である。
【００１３】
本実施形態に係る釣竿１は、魚釣用リール（両軸受型リール）５０を着脱可能にする筒状のリール脚固定装置１０を装着した元竿３と、元竿３に対して継合される先竿４とを備えた２本継ぎとして構成されている。この場合、両竿部材の継合は、振り出し式に構成されていても良いし、並継式に構成されていても良い。また、各竿部材の継合本数は任意であり、竿部材の構造についても、管状体に構成されていても良いし、中実状に構成されていても良い。更に、竿部材を構成する素材については、例えば、強化繊維に合成樹脂を含浸したプリプレグシート等を用いることが可能である。
【００１４】
前記竿部材（先竿４）には、複数の釣糸ガイド（外ガイド）５が設けられており、前記リール脚固定装置１０に装着された両軸受型リール５０から繰出される釣糸を案内するようになっている。また、元竿３には、必要に応じて、前記リール脚固定装置１０の前後に、グリップ３０，３１が設けられている。このようなグリップは、例えば、前記リール脚固定装置１０の本体１４の硬度と比較して柔軟性のある部材（ウレタン樹脂、熱可塑性エラストマー、コルク、ウレタン系の発泡性部材等）によって構成され、元竿３の外周に被着される。
【００１５】
前記リール脚固定装置１０は、両軸受型リール５０の脚部が載置されるリール脚載置部１１と、その前後に対向して配置され、リール脚を受け入れる開口を有する一対のフード部１２ａ，１２ｂとを有する筒状の本体１４を備えている。この本体１４は、例えば、ナイロン、ＡＢＳ等の硬質合成樹脂部材や、アルミ、ＳＵＳ、チタン等の金属等によって一体形成されており、元竿３の外周面に接着剤を塗布した後、嵌入することで、元竿３に一体的に固定される。
【００１６】
また、一対のフード部の内、穂先側のフード部１２ａは移動フードとして構成され、後端側のフード部１２ｂは固定フードとして構成されている（以下、移動フード１２ａ、固定フード１２ｂと称する）。このようなリール脚固定装置１０は、公知のように、本体１４の外周面に刻設された雄ネジ部に対して回転操作部１６を回転操作することで、移動フード１２ａを固定フード１２ｂに対して軸方向に接近／離間させ、両軸受型リール５０を締め付け固定したり、取り外しできるよう構成されている。
【００１７】
そして、前記固定フード１２ｂの後方には、リール脚固定装置の本体１４とは別体で、親指が載置可能な親指載置部材２０が設けられている。このような親指載置部材２０は、図５及び図６に示すように、例えば、両軸受型リール５０のクラッチプレート５１を親指で押下げ操作した後、そのまま親指を一連の動作によって載置したり、或いは、女性や子供のように手が小さい場合、リール本体をパーミングすることなく元竿３を握る際に親指を載置する部分となる。
【００１８】
従来、固定フード１２ｂの後方、具体的には、固定フード１２ｂの開口縁から後方側となる固定フード１２ｂの表面から後方側にかけては、親指を載置することについて十分な考慮がされていなかったが、本発明では、固定フード１２ｂの後方側に設けられる親指載置部材２０に、載置した親指の滑りを防止する滑り防止手段２１を設けている。
【００１９】
ここで、親指載置部材２０、及び滑り防止手段２１の具体的な構成について説明する。
親指載置部材２０は、リール脚固定装置１０の本体１４に外嵌される環状部材として構成されている。このため、本体１４の環状部材が装着される領域には、その環状部材が嵌り込む凹所が予め形成されており、そのような凹所に対して環状となった親指載置部材２０を嵌合、被着することで配設される。この場合、親指載置部材２０を、リール脚固定装置の本体１４の表面よりも摩擦力の大きい素材、例えば、ゴム、エラストマー、ＥＶＡ、コルク等によって構成することで、滑り防止手段２１を構成することが可能である。
【００２０】
すなわち、親指載置部材２０を摩擦力の大きい素材で構成し、これを環状にして被着することで、リール本体をパーミングしない状態で釣竿の固定フード１２ｂの後方側を握持、保持した際、親指載置部材２０上に載置した親指の位置が安定するようになり、握持、保持性が向上すると共に、釣竿が軸回りに回転することが抑制されて、釣糸が外ガイド５に絡み付くことが防止される。
【００２１】
なお、上記したように、親指載置部材２０を、環状部材で構成した際、本体１４の外周面に対して段差部２２が生じるように構成することが好ましい。  
このように段差部２２が存在することで、握り込んだ際に親指の腹部や、それ以外の指や掌についても引っ掛かるようになり、釣竿が軸方向にズレたり移動することが防止され、握持、保持性の向上が図れるようになる。
【００２２】
或いは、前記滑り防止手段２１は、図２に示すように、親指載置部材２０の親指載置領域２３を、固定フード１２ｂに向けて上昇する傾斜形状とすることで構成することも可能である。  
このように、親指が載置される部分を、次第に上昇する傾斜形状としておくことで、親指の腹部が前方に滑り難くなり、釣竿が軸方向にズレたり移動することが防止され、握持、保持性の向上が図れるようになる。
【００２３】
また、図示しないが、滑り防止手段については、親指の腹部が嵌るように、凹所によって構成しても良い。  
このように、凹所を形成しておくことで、載置した親指の位置が安定して位置決めされ、握持、保持性の向上が図れるようになる。
【００２４】
また、図４に示すように、親指載置領域２３については、指先形状に沿うように、前方側に向けて部分的に突出する突出部２３ａが形成されていることが好ましい。  
このように、前方に向けて突出部２３ａが形成されることで、親指の載置領域が広くなり、親指を安定して載置することが可能となる。
【００２５】
また、本実施形態では、上記した環状部材として構成される親指載置部材２０の両側面に凹所２５が形成されている。このような凹所２５を形成しておくことで、固定フード１２ｂの後方側で親指を載置した状態で握り込んだ際、指（人差し指）の腹部や、その付け根部分が入り込んで安定することから、握り心地が良好になると共に、より安定して釣竿を握持、保持することが可能となる。
【００２６】
さらに、本実施形態では、上記した環状部材として構成される親指載置部材２０の親指が載置される部分の径方向反対側に、下方に向けて膨出する突部２７が形成されている。このような突部２７を形成しておくことで、固定フード１２ｂの後方側で親指を載置した状態で握り込んだ際、指（人差し指）の第１関節から第２関節部分の腹部が引っ掛かるように当接することから、釣竿が軸方向にズレたり移動することが防止され、握持、保持性の向上が図れるようになる。
【００２７】
以上、本発明の実施形態について説明したが、本発明は、上述した実施形態に限定されることは無く種々変形することが可能である。例えば、上記した親指載置部材２０は、リール脚固定装置１０の本体１４に一体形成されていても良い。このような構成では、親指が載置される部分の滑り防止手段は、例えば、固定フード１２ｂの表面を粗面化処理することで構成することも可能である。また、このような親指載置部材２０を本体１４と共に一体形成する構成では、上記した凹所２５や突部２７についても、一体形成することが可能である。
【００２８】
また、親指載置部材２０については、環状部材として構成されていなくても良い。例えば、摩擦力が高い平坦状のシートを、固定フード１２ｂの表面領域に取着した構成であっても良い。
【００２９】
さらに、滑り防止手段２１については、親指が載置される部分の形状によって、その滑りを防止するようにしても良いし、表面状態によって滑りを防止するようにしても良い。
【図面の簡単な説明】
【００３０】
【図１】本発明に係る釣竿の一実施形態を示す図。
【図２】リール脚固定装置の固定フード部分を示す側面図。
【図３】図２のＡ−Ａ線に沿った断面図。
【図４】リール脚固定装置の固定フード部分を示す平面図。
【図５】使用状態を説明する平面図。
【図６】使用状態を説明する側面図。
【符号の説明】
【００３１】
１  釣竿
３  元竿
４  先竿
１０  リール脚固定装置
１１  リール脚載置部
１２ａ  移動フード
１２ｂ  固定フード
１４  本体
２０  親指載置部材
２１  滑り防止手段
２２  段差部
２５  凹所
２７  突部
５０  魚釣用リール（両軸受型リール）
【図１】
0005118536.tif 000002
【図２】
0005118536.tif 000003
【図３】
0005118536.tif 000004
【図４】
0005118536.tif 000005
【図５】
0005118536.tif 000006
【図６】
0005118536.tif 000007